(57)【要約】【課題】  弁ディスクの開弁遅れを防止できるディスク式スチームトラップを提供する。【解決手段】  本体１と蓋部材１０とで内部に変圧室を形成し、本体１の変圧室側の中心に噴出孔４を開けて入口２と変圧室を連通せしめ、噴出孔４の外周囲に環状溝５を設けて、噴出孔４と環状溝５の間に内輪弁座７を、環状溝５の外周囲に内輪弁座７と同心円状で同一平面の外輪弁座８を形成し、環状溝５から排出孔６を開けて変圧室を出口３に連通せしめ、内輪弁座７と外輪弁座８からなる弁座面に対して離着座する円板状で外輪弁座８よりも大きい径の弁ディスク１７を変圧室内に配置し、変圧室を感温応動素子としてのバイメタル１１で弁ディスク１７を配置した第１変圧室１２とその外側の保温室としての第２変圧室１３に分割する、外気側から第２変圧室１３に連通する連通路１４を形成し、バイメタル１１が第１変圧室１２の容積を高温時に減少せしめ低温時に増加せしめる。【選択図】      図１
2012167799.tif 000002
【特許請求の範囲】
【請求項１】
本体と蓋部材とで内部に変圧室を形成し、本体の変圧室側の中心に噴出孔を開けて入口と変圧室を連通せしめ、噴出孔の外周囲に環状溝を設けて、噴出孔と環状溝の間に内輪弁座を、環状溝の外周囲に内輪弁座と同心円状で同一平面の外輪弁座を形成し、環状溝から排出孔を開けて変圧室を出口に連通せしめ、内輪弁座と外輪弁座からなる弁座面に対して離着座する円板状で外輪弁座よりも大きい径の弁ディスクを変圧室内に配置し、変圧室を感温応動素子で弁ディスクを配置した第１変圧室とその外側の保温室としての第２変圧室に分割したものにおいて、外気側から第２変圧室に連通する連通路を形成し、感温応動素子が第１変圧室の容積を高温時に減少せしめ低温時に増加せしめるようにしたことを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に復水発生量の多い場所に用いることができるようにしたものに関する。
【背景技術】
【０００２】
従来のディスク式スチームトラップは、例えば特許文献１に開示されている。これは、本体と蓋部材とで内部に変圧室を形成し、本体の変圧室側の中心に噴出孔を開けて入口と変圧室を連通せしめ、噴出孔の外周囲に環状溝を設けて、噴出孔と環状溝の間に内輪弁座を、環状溝の外周囲に内輪弁座と同心円状で同一平面の外輪弁座を形成し、環状溝から排出孔を開けて変圧室を出口に連通せしめ、内輪弁座と外輪弁座からなる弁座面に対して離着座する円板状で外輪弁座よりも大きい径の弁ディスクを変圧室内に配置し、変圧室を感温応動素子で弁ディスクを配置した第１変圧室とその外側の保温室としての第２変圧室に分割し、入口側から第２変圧室に連通する連通路を形成し、感温応動素子が第１変圧室の容積を高温時に減少せしめ低温時に増加せしめるようにしたものである。
【先行技術文献】
【特許文献】
【０００３】
【特許文献１】実公平７−４０１５５号公報
【発明の概要】
【発明が解決しようとする課題】
【０００４】
上記従来のディスク式スチームトラップは、外側に形成された保温室としての第２変圧室の蒸気の凝縮乃至復水の温度低下により、感温応動素子が第１変圧室の容積を増加せしめて第１変圧室の圧力を急速に降下させることにより、弁ディスクを早期に開弁させて上流側に復水を滞留させないようにしたものである。しかしながら、第２変圧室の蒸気の凝縮乃至復水の温度低下に時間が掛かるために復水発生量の多い場所に用いる場合には弁ディスクの開弁が遅れる問題点があった。
【０００５】
したがって本発明が解決しようとする課題は、弁ディスクの開弁遅れを防止できるディスク式スチームトラップを提供することである。
【課題を解決するための手段】
【０００６】
上記の課題を解決するために、本発明のディスク式スチームトラップは、本体と蓋部材とで内部に変圧室を形成し、本体の変圧室側の中心に噴出孔を開けて入口と変圧室を連通せしめ、噴出孔の外周囲に環状溝を設けて、噴出孔と環状溝の間に内輪弁座を、環状溝の外周囲に内輪弁座と同心円状で同一平面の外輪弁座を形成し、環状溝から排出孔を開けて変圧室を出口に連通せしめ、内輪弁座と外輪弁座からなる弁座面に対して離着座する円板状で外輪弁座よりも大きい径の弁ディスクを変圧室内に配置し、変圧室を感温応動素子で弁ディスクを配置した第１変圧室とその外側の保温室としての第２変圧室に分割したものにおいて、外気側から第２変圧室に連通する連通路を形成し、感温応動素子が第１変圧室の容積を高温時に減少せしめ低温時に増加せしめるようにしたことを特徴とするものである。
【発明の効果】
【０００７】
本発明によれば、外気側から第２変圧室に連通する連通路を形成し、感温応動素子が第１変圧室の容積を高温時に減少せしめ低温時に増加せしめるようにしたことにより、外側に形成された保温室としての第２変圧室の空気の温度低下を早期に行うことができるので、弁ディスクを早期に開弁させて上流側に復水を滞留させることがなく、復水発生量の多い場所に用いる場合であっても弁ディスクの開弁遅れを防止できるという優れた効果を奏する。
【図面の簡単な説明】
【０００８】
【図１】本発明の実施の形態に係わるディスク式スチームトラップの断面図である。
【発明を実施するための形態】
【０００９】
以下、本発明の実施の形態について、図１を参照して説明する。本体１に入口２と出口３を同一軸上に形成する。本体１の中心に噴出孔４を開けて入口２と連通せしめると共に、噴出孔４の外周囲に環状溝５を設けて排出孔６を通して出口３に連通させる。噴出孔４と環状溝５の間に環状の内輪弁座７を、環状溝５の外周囲に環状の外輪弁座８を形成する。内輪弁座７と外輪弁座８は同心円状で同一平面に形成する。
【００１０】
本体１に蓋部材１０をボルトで締結する。このとき、感温応動素子としてのバイメタル１１を間に挟んで、その下方に第１変圧室１２を、上方に保温室としての第２変圧室１３を形成する。外気側から第２変圧室１３に連通する連通路１４を形成する。第１変圧室１２内に内輪弁座７と外輪弁座８からなる弁座面に対して離着座する円板状で外輪弁座８よりも大きい径の弁ディスク１７を配置する。参照番号１８は弁ディスク１７の上動を規制するストッパである。
【００１１】
上記実施例の作動を説明する。図１は閉弁直後の状態を示しており、バイメタル１１が実線のように下方に湾曲している。第２変圧室１３の空気の温度低下によりバイメタル１１を第２変圧室１３側に早期に変位させて二点鎖線のように上方に湾曲させ、第１変圧室１２の容積を増加させて第１変圧室１２の圧力を急速に降下させることにより、早期に弁ディスク１７を開弁させる。弁ディスク１７が開弁すると、入口２側の復水が噴出孔４、環状溝５、排出孔６を通して出口３側に排出される。
【００１２】
復水が排出されて第１変圧室１２内に蒸気が流入してくると、バイメタル１１を第１変圧室１２側に変位させ実線のように下方に湾曲させる。そして、弁ディスク１７下面を高速の蒸気が流下して静圧低下を来たすことによって、弁ディスク１７は内輪弁座７と外輪弁座８からなる弁座面に着座して閉弁する。以上のような開閉弁のサイクルを繰り返す。
【産業上の利用可能性】
【００１３】
本発明は、蒸気配管系に発生する復水を自動的に排出するディスク式スチームトラップに利用することができる。
【符号の説明】
【００１４】
１  本体
２  入口
３  出口
４  噴出孔
５  環状溝
６  排出孔
７  内輪弁座
８  外輪弁座
１０  蓋部材
１１  ダイヤフラム
１２  第１変圧室
１３  第２変圧室
１４  連通路
１７  弁ディスク
１８  ストッパ
【図１】
2012167799.tif 000003